(57)【要約】
【課題】　組み立てが容易で製造コストを低減させることのできる書見台を提供する。
【解決手段】　軟質で磁性を具える板状の本体に折畳み線を形成して該本体を正面部と背面部とに分け、且つ略中央の位置に第１切開部と、該第１切開部の底端両端縁部がそれぞれ下方に延伸する第２切開部を形成する。本体は該折畳み線に沿って折り曲げ、該正面部と該背面部とを適宜な角度の開脚状態とし、該第１切開部と該第２切開部は背面側に折り曲げて、折り曲げた正面部と背面部との間に位置させるとともに、該第１切開部の自由端を上方に折り曲げて接合部とし背面部に吸着させる。本体を折り曲げることによって、本来の第１切開部、及び第２切開部の位置に、第１刳り貫き部と２箇所の第２刳り貫き部が形成され、且つ両第２刳り貫き部の間に突起した中間突起部が形成され、該中間突起部と該正面部との間に原稿などを挿入して支持する。
【選択図】　図３
0003099921.tif 000002
【実用新案登録請求の範囲】
【請求項１】
　軟質で磁性を具える板状の本体に折畳み線を形成し、該折畳み線によって該本体を正面部と背面部とに分け、且つ該折畳み線に沿って該本体を折り曲げてなる書見台であって、
該本体は、略中央の位置に第１切開部と、該第１切開部の底端両端縁部がそれぞれ下方に延伸してなる第２切開部を形成し、
　該折畳み線に沿って該本体を折り曲げ、該正面部と該背面部との間に適宜な角度の鋭角を形成して開脚状態とし、該第１切開部と、該第２切開部は、該折畳み線から背面側に折り曲げて、折り曲げた正面部と、背面部との間に位置させるとともに、該第１切開部の自由端を上方に折り曲げて接合部とし、折り曲げた背面部の対応する面の端縁部に近い位置に吸着させ、
　該本体は折り曲げることによって、折り曲げる前の状態における第１切開部、及び第２切開部の位置に、第１刳り貫き部と、２箇所の第２刳り貫き部が形成され、且つ両第２刳り貫き部の間に突起した中間突起部が形成され、該中間突起部と該正面部との間に原稿などである紙を挿入して支持するように構成することを特徴とする書見台。
【請求項２】
　前記本体の折り曲げた背面部の外部表面に挟持部材を着脱自在に設けることを特徴とする請求項１に記載の書見台。
【請求項３】
　前記中間突起部を具体的な物品などの形状に形成することを特徴とする請求項１、もしくは請求項２に記載の書見台。
【請求項４】
　前記第１刳り貫き部と、第２刳り貫き部の面積の和が、該第１切開部と第２切開部の面積の和より大きいことを特徴とする請求項１、もしくは請求項２に記載の書見台。
【請求項５】
　前記第１刳り貫き部と、第２刳り貫き部の面積の和が、該第１切開部と第２切開部の面積の和より広いことを特徴とする請求項３に記載の書見台。
【考案の詳細な説明】
【技術分野】
【０００１】
　この考案は、書見台に関し、特に本、もしくはコンピュータに入力する原稿などを支持する書見台に関する。
【背景技術】
【０００２】
　書見台には様々な形態がある。図１に従来の書見台の一例を開示する。図面によれば、原稿や本などを置くための支持板（３）と、該支持板（３）の底端部から水平方向に延伸し、その先端がさらに上方へ延伸して形成される突出部（３１）と、該支持板（３）の背面に回動自在に設けられる支持脚（３２）とによってなる。
【０００３】
　該支持脚（３２）は、支持板（３）と適宜な角度を形成して開脚し、支持板（３）を支持する。このため、原稿や本は適宜な角度に傾斜し、読み易くなるとともに、該突出部（３１）によって底端部が支持される。よって、本や、コンピュータに入力する原稿を支持するのに便利である。
【０００４】
　しかし、前述の支持板（３）、もしくは支持脚（３２）などは、いずれも硬質のプラスチック材を射出成型して形成されるため、形状や体積が固定的であって、収納時には広い収納空間を必要とする。また、製品の開発時における金型の調整、生産時における射出成型、組み立て加工などにおいて、製造コストを低減させることが難しい。よって、経済的効果を求める昨今の業界において、製品の好ましい競争能力を得ることが難しい、という欠点を有する。
【考案の開示】
【考案が解決しようとする課題】
【０００５】
　この考案は、簡易な構造で使用上便利であるのみならず、組み立てが容易で、製造コストを低減させることのできる書見台を提供することを課題とする。
【０００６】
　また、この考案は、収納時に空間を占めることなく、収納、運送、もしくは携帯にも便利な書見台を提供することを課題とする。
【課題を解決するための手段】
【０００７】
　そこで、本考案者は従来の技術に見られる欠点に鑑み鋭意研究を重ねた結果、軟質で磁性を具えた板体を本体とし、該本体を折畳んで開脚状にして支持する書見台の構造によって課題を解決できる点に着眼し、かかる知見に基づいて本考案を完成させた。
【０００８】
　以下、この考案について具体的に説明する。
請求項１に記載する書見台は、軟質で磁性を具える板状の本体に折畳み線を形成し、該折畳み線によって該本体を正面部と背面部とに分け、且つ該折畳み線に沿って該本体を折り曲げてなる書見台であって、
該本体は、略中央の位置に第１切開部と、該第１切開部の底端両端縁部がそれぞれ下方に延伸してなる第２切開部を形成し、
該折畳み線に沿って該本体を折り曲げ、該正面部と該背面部との間に適宜な角度の鋭角を形成して開脚状態とし、該第１切開部と、該第２切開部は、該折畳み線から背面側に折り曲げて、折り曲げた正面部と、背面部との間に位置させるとともに、該第１切開部の自由端を上方に折り曲げて接合部とし、折り曲げた背面部の対応する面の端縁部に近い位置に吸着させ、
該本体は折り曲げることによって、折り曲げる前の状態における第１切開部、及び第２切開部の位置に、第１刳り貫き部と、２箇所の第２刳り貫き部が形成され、且つ両第２刳り貫き部の間に突起した中間突起部が形成され、該中間突起部と該正面部との間に原稿などである紙を挿入して支持するように構成する。
【０００９】
　請求項２に記載する書見台は、請求項１における本体の折り曲げた背面部の外部表面に挟持部材を着脱自在に設ける。
【００１０】
　請求項３に記載する書見台は、請求項１、もしくは請求項２における中間突起部を具体的な物品などの形状に形成する。
【００１１】
　請求項４に記載する書見台は、請求項１、もしくは請求項２における第１刳り貫き部と、第２刳り貫き部の面積の和が、該第１切開部と第２切開部の面積の和より大きい。
【００１２】
　請求項５に記載する書見台は、請求項３における第１刳り貫き部と、第２刳り貫き部の面積の和が、該第１切開部と第２切開部の面積の和より広い。
【考案の効果】
【００１３】
　この考案による書見台は、簡易な操作で組み立てることができ、製造コストを低減することができるとともに、収納する場合に空間を占めることなく収納、運送、もしくは携帯に便利である。
【００１４】
　また、この考案による書見台は、簡易な操作で原稿などの傾斜角度を調整できるとともに、写真、メモ用紙などの面積の狭いものも容易に固定することができ、実用的である。
【考案を実施するための最良の形態】
【００１５】
　この考案は、本、もしくはコンピュータに入力する場合の原稿などを支持する書見台を提供するものであって、軟質の磁性を有する板状の本体を折り曲げて構成する。
かかる書見台の構造と効果を説明するために、具体的な実施例を挙げ、図示を参照にして以下に詳述する。
【実施例】
【００１６】
　図２に開示するように、この考案による書見台は、軟質で磁性を具えた長方形の本体（１）によってなり、該本体（１）は、略中間の位置に折畳み線（１１）を形成し、該折畳み線（１１）によって正面部（１２）と背面部（１３）とに分けられる。また、本体（１）の中央には、第１切開部（１４）と、第１切開部（１４）の底端両端縁部がそれぞれ下方に延伸してなる第２切開部（１５）を形成し、それぞれの第２切開部（１５）の下端縁部に折畳み線（１５１）を形成する。第１切開部（１４）の上端は、折畳み線（１１）を超えて背面部（１３）に位置する。
【００１７】
　図３は、上述の本体（１）のそれぞれの部位を折り曲げて書見台を形成する動作を表わす説明図であって、図４に完成した書見台の外観を表わす。また、図５にその側面図を表わす。図面によれば、この考案による書見台を組み立てる場合、折畳み線（１１）に沿って本体（１）を折り曲げ、正面部（１２）と背面部（１３）との間に適宜な角度の鋭角を形成する。すなわち、正面部（１２）と背面部（１３）は、形成される鋭角によって開脚状態となり、本体（１）が支持される。
【００１８】
　第１切開部（１４）、第２切開部（１５）は、折畳み線（１５１）から背面側に折り曲げて、折り曲げた正面部（１２）と、背面部（１３）との間に位置させる。また、第１切開部（１４）の自由端（折畳み線（１１）から背面側の部分）を上方に折り曲げて接合部（１４１）を形成する。接合部（１４１）は、折り曲げた背面部（１３）の対向する面の端縁部に近い位置に吸着させる。
【００１９】
　本体（１）は折り曲げることによって、折り曲げる前の状態における第１切開部（１４）、第２切開部（１５）の位置に、第１刳り貫き部（１４２）と、２箇所の第２刳り貫き部（１５２）が形成され、且つ両第２刳り貫き部（１５２）の間に突起した中間突起部（１５３）が形成される。また、折り曲げた背面部（１３）の外部表面には、クリップ、もしくはフック状の挟持部材（１６）を設ける（挟持部材（１６）は、磁性パッド（１６１）上に設け、背面部（１３）に着脱自在に取り付ける）。
【００２０】
　この考案における書見台は、上述の通り、本体（１）が軟質で磁性を具えた材質によってなるため、正面部（１２）と背面部（１３）を折り曲げて、鉄などの金属材によってなる机などの上に置くと、磁性によって適宜な吸引力が発生し、安定して設置することができる。
【００２１】
　図６、７に、この考案による書見台の使用態様を開示する。図面によれば、書見台を使用する場合、原稿などである紙（２）を第１刳り貫き部（１４２）から、第２刳り貫き部（１５２）と中間突起部（１５３）との間に挿入する。この場合、紙（２）がやや傾斜して見易くなるように支持される。背面部（１３）に設けた挟持部材（１６）は、写真や、メモ用紙などの面積の狭い紙片（２１）を挟持するために供する。このため、書見台に付加価値を賦与することができ、使用上、更に便利になる。
【００２２】
　図８は、正面部（１２）と背面部（１３）とが、更に大きい角度で開脚した場合の状態を表わす。この考案においては、第1切開部（１４）の接合部（１４１）を背面部（１３）に吸着させる位置を変化させることによって、正面部（１２）と、背面部（１３）との間に形成される角度を変化させることができる。図８においては、接合部（１４１）を上方に移動させ、正面部（１２）と背面部（１３）との角度を大きくした例を開示する。かかる角度の変化によって、支持する原稿などが最も見やすく、且つ安定した角度に調節することができる。
【００２３】
　以上は、この考案の好ましい実施例であって、この考案の実施の範囲を限定するものではない。例えば中間突起部（１５３）にデザインを施して具体的な物品などの形状にしてもよく、また第1刳り貫き部（１４２）と第２刳り貫き部（１５２）の面積についても、その面積の和が第1切開部（１４）と第２切開部（１５）の面積の和より広くなるように形成してもよい。これら当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００２４】
【図１】従来の書見台の斜視図である。
【図２】この考案による書見台であって、書見台に組み立てる以前の本体の状態を表わす正面図である。
【図３】この考案による書見台を組み立てる操作を表わす説明図である。
【図４】図３に開示する書見台の斜視図である。
【図５】図３に開示する書見台の側面図である。
【図６】図３に開示する書見台の使用態様を表わす説明図である。
【図７】図６に開示する書見台の使用態様の側面図である。
【図８】この考案による書見台であって、開脚角度を広くした状態を表わす側面図である。
【符号の説明】
【００２５】
　１ 　　　本体
　１１ 　　折畳み線
　１２ 　　正面部
　１３ 　　背面部
　１４ 　　第１切開部
　１４１ 　接合部
　１４２ 　第１刳り貫き部
　１５ 　　第２切開部
　１５１ 　折畳み線
　１５２ 　第２刳り貫き部
　１５３ 　中間突起部
　１６ 　　挟持部材
　１６１ 　磁性パッド
　２ 　　　紙
　２１ 　　紙片
　３ 　　　支持板
３１ 　　　突出部
３２ 　　　支持脚
【図１】
0003099921.tif 000003
【図２】
0003099921.tif 000004
【図３】
0003099921.tif 000005
【図４】
0003099921.tif 000006
【図５】
0003099921.tif 000007
【図６】
0003099921.tif 000008
【図７】
0003099921.tif 000009
【図８】
0003099921.tif 000010